(57)【特許請求の範囲】
【請求項１】
軸方向Ｌに伸びる棒体を備え、該棒体の外周面に長手方向に沿ってガイド溝が凹設され、該棒体の外周面に、径方向に延出すると共に、一部がガイド溝と連通する位置決め溝が形成される支持ユニットと、
結合部材と、上部摺動部材と、２つの折り畳み棒を備え、該結合部材は棒体に取り付けられ、該上部摺動部材は、結合部材の上方に位置するように摺動可能に棒体に取り付けられ、前記折り畳み棒は、一端に接近端、他端に離れ端を有し、該接近端が結合部材に枢設され、展開状態から折り畳み状態に操作可能であり、折り畳み状態において、上部摺動部材と結合部材との距離が長くなると共に、折り畳み棒と棒体との距離が短くなる、折り畳みユニットと、
接近端及び離れ端を備え、該接近端は、上部摺動部材に枢設され、該離れ端は、接近端の反対する端に形成され、折り畳みユニットを展開状態にする時、折り畳み棒に支えられ、前記棒体と角度を有し、折り畳みユニットを折り畳み状態にする時、離れ端が棒体に接近する着座ユニットとを有し、
さらに、前記上部摺動部材は、スライド部材及び回動部を備え、該回動部は、軸方向Ｌを中心軸として、回転可能にスライド部材に取り付けられ、該回動部が位置決め溝に係合すると、該上部摺動部材が棒体及び結合部材に対して位置決められ、折り畳みユニットを展開状態または折り畳み状態に切り替えることを防止し、一方、該回動部が位置決め溝から離れると、折り畳みユニットが展開状態または折り畳み状態に切り替えることができることを特徴とする、
折り畳み椅子。
【請求項２】
前記上部摺動部材におけるスライド部材と回動部との間にロックバネが設置され、該ロックバネが回動部をロック位置に押付けることを特徴とする請求項１に記載の折り畳み椅子。
【請求項３】
前記位置決め溝は、棒体の下端近傍に形成される位置決め上部溝及び棒体の上端近傍に形成される位置決め下部溝を有し、前記回動部は、キャップ及び係合リブを備え、該係合リブが位置決め下部溝に係合されると、折り畳みユニットが展開状態となり、該係合リブが位置決め上部溝に係合されると、折り畳みユニットが折り畳み状態となることを特徴とする請求項１に記載の折り畳み椅子。
【請求項４】
前記位置決め上部溝は、摺動段及び保持段を有し、該摺動段は、ガイド溝と連通するように、径方向に沿って棒体の外周面に形成され、該保持段は、摺動段におけるガイド溝と反対する端に位置するように、棒体の軸方向Ｌに沿って延出し、前記回動部の係合リブは、位置決め上部溝の摺動段に係合されることによって、該回動部のスライド部材に対する回転を阻止することを特徴とする請求項３に記載の折り畳み椅子。
【請求項５】
前記結合部材と上部摺動部材との間に第二バネが設置され、該第二バネによって、結合部材と上部摺動部材とを引っ張って接近させることを特徴とする請求項２に記載の折り畳み椅子。
【請求項６】
前記上部摺動部材のスライド部材に移動溝が棒体の径方向に沿って凹設され、前記回動部の係合リブは、摺動可能に移動溝に嵌め込まれることを特徴とする請求項３に記載の折り畳み椅子。
【請求項７】
前記スライド部材の上端に移動溝と連通する組立溝が形成されることを特徴とする請求項６に記載の折り畳み椅子。
【請求項８】
前記ロックバネは圧縮ばねであり、両端を介してスライド部材及び回動部に当接されることを特徴とする請求項２に記載の折り畳み椅子。
【請求項９】
前記着座ユニットは、メインプレート及び２枚のサブプレートを有し、その内、該メインプレートは、接近端及び離れ端を備え、該接近端は、上部摺動部材に枢設されると共に、該離れ端は、接近端の反対する端に形成され、該サブプレートはそれぞれ、着座ユニットの対向する側縁に枢設され、底面にガイドレールが設けられ、該ガイドレールの接近端は、メインプレートの接近端と接近するように形成され、該ガイドレールの離れ端は、メインプレートの接近端と離れるように設けられ、前記折り畳みユニットは、２つの折り畳み棒を備え、該折り畳み棒における離れ端がガイドレールに沿って摺動可能にサブプレートに枢設され、前記折り畳みユニットを展開状態にした時、前記メインプレート及びサブプレートが同一平面上に位置すると共に、前記折り畳み棒の離れ端がガイドレールの離れ端に位置し、一方、前記折り畳みユニットを折り畳み状態にした時、前記折り畳み棒の離れ端がガイドレールの接近端と接近し、両側のサブプレートがそれぞれメインプレートに対して折り畳まれてＵ字形となりながら折り畳みユニットをカバーすることを特徴とする請求項１に記載の折り畳み椅子。
【請求項１０】
前記折り畳みユニットはさらに連結棒を含み、該連結棒の一端が上部摺動部材に枢設される共に、他端が折り畳み棒に枢設されることを特徴とする請求項１に記載の折り畳み椅子。
【請求項１１】
前記結合部材が摺動可能に棒体に取り付けられることを特徴とする請求項１に記載の折り畳み椅子。
【発明の詳細な説明】
【技術分野】
【０００１】
本発明は、特に折り畳むことができる椅子に関するものである。
【背景技術】
【０００２】
折り畳み椅子は、杖として使えることから、一般に体の不自由な人や老人が使用しており、例えば、米国の特許Ｎｏ．２３８０４３７などを有する。それによれば、棒体及び該棒体に沿って摺動自在なチューブを有し、スライド部材を棒体に沿って摺動させることによって、椅子を折り畳み状態または展開状態に自由に変更するものであり、折り畳み状態または展開状態に維持する時は、ボルトによりチューブを締め付け固定する。
【０００３】
また、台湾特許Ｎｏ．１０２１１２３３０では、棒体及びチューブを有し、その内、チューブを簡単な操作により棒体に位置決めできる構成が開示されている。
【先行技術文献】
【特許文献】
【０００４】
【特許文献１】台湾特許Ｎｏ．１０２１１２３３０
【発明の概要】
【発明が解決しようとする課題】
【０００５】
しかしながら、既存の折り畳み椅子の位置決め構造は、複雑であり、生産コストもかかるので、改善する必要があった。
【課題を解決するための手段】
【０００６】
本発明に係る折り畳み椅子は、軸方向Ｌに伸びる棒体を備え、該棒体の外周面に長手方向に沿ってガイド溝が凹設され、該棒体の外周面に、径方向に延出すると共に、一部がガイド溝と連通する位置決め溝が形成される支持ユニットと、結合部材と、上部摺動部材と、２つの折り畳み棒を備え、該結合部材は棒体に取り付けられ、該上部摺動部材は、結合部材の上方に位置するように摺動可能に棒体に取り付けられ、前記折り畳み棒は、展開状態から折り畳み状態にするものであり、一端に接近端、他端に離れ端を有し、該接近端が結合部材に枢設され、その場合、上部摺動部材と結合部材との距離を長くすると共に、折り畳み棒と棒体との距離を短くする折り畳みユニットと、接近端及び離れ端を備え、該接近端は、上部摺動部材に枢設され、該離れ端は、接近端の反対する端に形成され、折り畳みユニットを展開状態にする時、折り畳み棒に支えられ、前記棒体と角度を有し、折り畳みユニットを折り畳み状態にする時、離れ端が棒体に接近する着座ユニットとを有し、さらに、前記上部摺動部材は、スライド部材及び回動部を備え、該回動部は、軸方向Ｌを中心軸として、回転可能にスライド部材に取り付けられ、該回動部が位置決め溝に係合すると、該上部摺動部材が棒体及び結合部材に対して位置決められ、折り畳みユニットを展開状態または折り畳み状態に切り替えることを防止し、一方、該回動部が位置決め溝から離れると、折り畳みユニットが展開状態または折り畳み状態に切り替えることができるものである。
【発明の効果】
【０００７】
上述したように、本発明の折り畳み椅子には、以下に示すようなメリットを有する。
１．ガイド溝、位置決め下部溝、位置決め上部溝、係合リブ及びロックバネを有することから、上部摺動部材を簡単に棒体に位置決めることができ、また、その構造も従来の台湾特許Ｎｏ．１０２１１２３３０より単純である。
２．保持段を有するため、折り畳み椅子を折り畳む時、回動部がスライド部材に対して回転することはないので、使用上極めて安全である。
【０００８】
一方、他の実施例においては、支持脚を省いて、結合部材を棒体に固定してもよいので、公共施設などにおいて幅広く使用することもできる。
【図面の簡単な説明】
【０００９】
【図１】本発明に係る折り畳み椅子の斜視図である。
【図２】本発明に係る折り畳み椅子の他の斜視図である。
【図３】本発明に係る折り畳み椅子の他の斜視図である。
【図４】本発明に係る折り畳み椅子における棒体及び上部摺動部材の部分斜視図である。
【図５】本発明に係る折り畳み椅子における上部摺動部材の分解斜視図である。
【図６】本発明に係る折り畳み椅子における上部摺動部材の透明斜視図である。
【図７】本発明に係る折り畳み椅子において、上部摺動部材の回動部がロック位置にあることを示す、図６のＶＩＩ−ＶＩＩ線の透明断面図である。
【図８】本発明に係る折り畳み椅子において、上部摺動部材の回動部が解錠位置にあることを示す、図６のＶＩＩ−ＶＩＩ線の透明断面図である。
【図９】本発明に係る折り畳み椅子において、回動部が位置決め下部溝に係合した状態を示す部分斜視図である。
【図１０】本発明に係る折り畳み椅子において、回動部が位置決め上部溝に係合した状態を示す部分斜視図である。
【図１１】本発明に係る折り畳み椅子の折り畳み状態を示す部分分解斜視図である。
【図１２】本発明に係る折り畳み椅子の着座ユニットを位置決めて折り畳んだ状態を示す部分断面説明図である。
【発明を実施するための形態】
【００１０】
図１及び図２に示すように、本発明に係る折り畳み椅子には、支持ユニット１と、折り畳みユニット２と、着座ユニット３を有する。
【００１１】
前記支持ユニット１は、棒体１１と、２本の支持脚１２と、取っ手１６を備え、そのうち棒体１１は軸方向Ｌに伸びる棒状体であり、４本のガイド溝１３（図面に２本しか見えない）と、２つの位置決め下部溝１４（図面に１本しか見えない）と、２つの位置決め上部溝１５（図面に１つしか見えない）を含み、該位置決め下部溝１４は、棒体１１の上端と離れ、該位置決め上部溝１５は、棒体１１の上端と接近し、該取っ手１６は、棒体１１の上端に取り付けられる。
【００１２】
前記ガイド溝１３は、棒体１１の長手方向に沿って棒体１１の外周面に凹設される。また、前記４本のガイド溝１３はそれぞれ、間隔をおいて棒体１１の外周面に環状に排列される。
本実施例における棒体１１は、管状であり、環状の壁が形成される。また、該ガイド溝１３の深さが棒体１１の壁の厚さよりも深い設計となっている。
【００１３】
前記位置決め下部溝１４はそれぞれ棒体１１の外周面にガイド溝１３と連通するように形成される。また、前記２本の位置決め下部溝１４は、相対するように、棒体１１の外周面に排列される。
【００１４】
前記２つの位置決め上部溝１５はそれぞれ、棒体１１の外周面にガイド溝１３と連通するように形成される。また、前記２つの位置決め上部溝１５は、相対するように棒体１１の外周面に排列される。
図９に示すように、該位置決め上部溝１５は、摺動段１５１及び保持段１５２を有し、該摺動段１５１は、ガイド溝１３と連通するように、径方向に沿って棒体１１の外周面に形成され、該保持段１５２は、棒体１１の上端の軸方向に沿って摺動段１５１におけるガイド溝１３と反対する端に形成される。
【００１５】
また、前記棒体１１は、１本のガイド溝１３、１つの位置決め下部溝１４、１つの位置決め上部溝１５のみでもよいが、複数の、ガイド溝１３、位置決め下部溝１４、位置決め上部溝１５を有してもよい。また、場合に応じて、位置決め下部溝１４や位置決め上部溝１５を用いなくてもよい。
【００１６】
前記折り畳みユニット２は、結合部材２１と、上部摺動部材２２と、２つの折り畳み棒２３と、２つの連結棒２４と、２つのジョイント２５と、２つの第一バネ２６（図面においては１つしか現れていない）と、２つの第二バネ２７（図面に１つしか見えない）を備え、そのうち結合部材２１は、摺動可能に棒体１１に取り付けられ、該上部摺動部材２２は、結合部材２１の上方に位置するように、摺動可能に棒体１１に取り付けられ、該折り畳み棒２３は、一端に接近端、他端に離れ端を有し、そのうち接近端は結合部材２１に枢設され、該連結棒２４の一端は上部摺動部材２２に枢設され、他端は折り畳み棒２３に枢設される。
【００１７】
前記折り畳みユニット２を用いて折り畳み椅子を展開状態（図２の如く）から折り畳み状態（図３及び図１１の如く）にすることができる。折り畳み椅子を展開状態にする時には、上部摺動部材２２が結合部材２１と接近すると共に、折り畳み棒２３の自由端が棒体１１から離れるように操作する。一方、その折り畳み椅子を折り畳み状態にする時には、上部摺動部材２２が結合部材２１から離れると共に、折り畳み棒２３の自由端が棒体１１と接近するように操作する。
その折り畳みユニット２を展開状態から折り畳み状態にする時は、上部摺動部材２２と結合部材２１との距離を長くすると共に、折り畳み棒２３と棒体１１との距離を短くする。
【００１８】
図１２に示すように、前記折り畳みユニット２はさらに、下部摺動部材１２４を備え、該下部摺動部材１２４は、摺動可能に棒体１１に取り付けられ、前記結合部材２１は、連結ロッド２１１を介して下部摺動部材１２４に連結され、下部摺動部材１２４と連動するように棒体１１に対して移動することができる。
前記支持ユニット１の支持脚１２は、上段脚部１２１、下段脚部１２２、駆動リンク１２３、サブリンク１２５を備え、該上段脚部１２１の接近端は結合部材２１に枢設され、該下段脚部１２２の枢設端は上段脚部１２１の離れ端に枢設され、該駆動リンク１２３の両端はそれぞれ上段脚部１２１及び上部摺動部材２２に枢設され、該サブリンク１２５の両端はそれぞれ下段脚部１２２及び下部摺動部材１２４に枢設される。
【００１９】
図４乃至図６に示すように、前記上部摺動部材２２は、スライド部材２２１と、回動部２２２と、２つのロックバネ２２３を備える。
【００２０】
前記スライド部材２２１は、２つの掛止部２２４と、２つの嵌合凹部と、組立溝２２６を備え、該掛止部２２４は、摺動可能にガイド溝１３に嵌設され、該各嵌合凹部（図面に１つしか見えない）は、移動溝２２５を含み、該移動溝２２５は、棒体１１の径方向に沿って凹設され、該組立溝２２６は、スライド部材２２１の上端に移動溝２２５と連通するように形成される。
【００２１】
前記回動部２２２は、回転可能にスライド部材２２１に取り付けられ、キャップ２２７及び２つの係合リブ２２８を備え、そのうち係合リブ２２８は、摺動可能に嵌合凹部の移動溝２２５に嵌め込まれ、該係合リブ２２８は、回動部２２２をスライド部材２２１に組み合わせる時、組立溝２２６を通って嵌合凹部の移動溝２２５に組み合わされる。
【００２２】
この構成によれば、前記回動部２２２が軸方向Ｌを中心軸としてスライド部材２２１に対して回転すると、ロック状態（図７の如く）またはアンロック状態（図８の如く）を切り替えることができる。その内、ロック状態においては、その回動部２２２の係合リブ２２８が位置決め上部溝１５または位置決め下部溝１４に係合され、上部摺動部材２２が棒体１１及び結合部材２１に対して位置決められることにより、折り畳みユニット２が自由に展開状態または折り畳み状態に変更されることを防止する。一方、アンロック状態においては、その上部摺動部材２２の係合リブ２２８が位置決め上部溝１５または位置決め下部溝１４から離れて摺動可能にガイド溝１３に嵌合されることにより、折り畳みユニット２を展開状態または折り畳み状態に変換することができる。
【００２３】
前記ロックバネ２２３は、圧縮ばねであり、その両端を介してスライド部材２２１及び回動部２２２に当接され、それにより該回動部２２２をロック位置に押付ける。
【００２４】
前記第一バネ２６はそれぞれ、ガイド溝１３に設置される。詳しく述べると、該第一バネ２６は引張ばねであり、一端が下部摺動部材１２４に取り付けられると共に、他端が棒体１１に挿設されるピン１１１に取り付けられることから（図１１の如く）、該第一バネ２６の付勢力によって、下部摺動部材１２４及び上部摺動部材２２が棒体１１の上端から下方へ移動する。
【００２５】
一方、前記第二バネ２７はそれぞれ、ガイド溝１３に設置される。詳しく述べると、該第二バネ２７は引張ばねであり、一端が結合部材２１に取り付けられると共に、他端が上部摺動部材２２のスライド部材２２１の掛止部２２４に掛止されることから（図２及び図５の如く）、該第二バネ２７によって、結合部材２１と上部摺動部材２２とを引っ張ると接近する。
【００２６】
前記着座ユニット３は、メインプレート３１及び２枚のサブプレート３２を有し、その内、該メインプレート３１は、接近端３１１及び離れ端３１２を備え、該接近端３１１は、上部摺動部材２２に枢設されると共に、該離れ端３１２は、接近端３１１の反対する端に形成され、該サブプレート３２はそれぞれ、着座ユニット３の対向する側縁３１３に枢設され、底面にガイドレール３３が設けられる。該ガイドレール３３の接近端３３２は、メインプレート３１の接近端３１１と接近するように形成され、該ガイドレール３３の離れ端３３１は、メインプレート３１の接近端３１１と離れるように設けられる。
また、前記折り畳みユニット２のジョイント２５は、折り畳み棒２３に枢設されると共に、ガイドレール３３に沿って摺動可能にサブプレート３２に取り付けられる。
【００２７】
尚、他の実施例においては、そのジョイント２５を省略してもよく、着座ユニット３は、キャンバスからなる軟質の織物であってもよい。また、その場合、該着座ユニット３の先端は上部摺動部材２２に取り付けられ、末端は折り畳み棒２３に取り付けられる。
【００２８】
図１及び図２に示すように、本考案に係る折り畳み椅子を展開状態にする時は、結合部材２１を、第一バネ２６の付勢力によって、棒体１１に設置した下制限部１７に当接することで棒体１１に位置決めると共に、上部摺動部材２２を、第二バネ２７の付勢力によって、棒体１１に設置した下制限部１８に当接させることで、結合部材２１及び上部摺動部材２２をそれぞれ棒体１１に位置決めると共に、各支持脚１２の上段脚部１２１の末端を棒体１１から離れるように展開する。そして、その下段脚部１２２の自由端が棒体１１から離れて床に付く。そのメインプレート３１及びサブプレート３２を、棒体１１に対して角度を有する同一の平面になるように展開しながら折り畳み棒２３に支えられる。この時、各ジョイント２５が引導レール３３に沿って摺動して離れ端３３１に位置決める。
この構成によれば、回動部２２２の係合リブ２２８をそれぞれ位置決め下部溝１４に係合することによって、折り畳みユニット２を展開状態に維持することができる。
【００２９】
図９に示すように、回動部２２２を回転させてロックバネ２２３の付勢力により解錠すると、回動部２２２の係合リブ２２８が位置決め下部溝１４から離れて摺動可能にガイド溝１３に嵌合されるので、上部摺動部材２２が棒体１１に沿って摺動し、上部摺動部材２２が上方の取っ手１６に向かって移動することによって、結合部材２１が連動して上方の取っ手１６に向かって移動し、止め手段により棒体１１に位置決める。そして、上部摺動部材２２をさらに上方へ移動させると、折り畳みユニット２が折り畳まれて収納状態となる。
【００３０】
図３、図１１、図１２に示すように、その折り畳みユニット２を折り畳み状態にする場合は、支持脚１２の上段脚部１２１を棒体１１に接近させると共に、支持脚１２の下段脚部１２２の自由端を棒体１１に接近させ、更に、各ジョイント２５をサブプレート３２に対してガイドレール３３の接近端３３２に接近させ、着座ユニット３の離れ端３１２を棒体１１に接近させることにより、両側のサブプレート３２をそれぞれメインプレート３１に対してＵ字形に折り畳みながら、折り畳みユニット２及び支持脚１２をカバーする。
【００３１】
図１０に示すように、上部摺動部材２２を上方へ移動させて係合リブ２２８を位置決め上部溝１５に係合させると、回動部２２２がロックバネ２２３の付勢力によりロック位置に移動する。つまり、回動部２２２の係合リブ２２８を、位置決め上部溝１５の摺動段１５１に嵌め込んで第二バネ２７によって位置決め上部溝１５の保持段１５２に係合する。この構成によれば、回動部２２２がスライド部材２２１に対して回転することなく、折り畳みユニット２を折り畳み状態に維持することができる。
【００３２】
また、本発明の折り畳み椅子を展開する時は、上部摺動部材２２を上方に移動させて、回動部２２２の係合リブ２２８を位置決め上部溝１５の保持段１５２から離脱させ、更に回動部２２２を回転させればロックバネ２２３の付勢力により解錠することができ、この時、回動部２２２の係合リブ２２８は、位置決め上部溝１５から離れて摺動してガイド溝１３に嵌合する。この構成によれば、上部摺動部材２２は棒体１１に沿って摺動することができる。
【００３３】
上述したように、本発明の折り畳み椅子は、以下に示すようなメリットを有する。
１．ガイド溝１３、位置決め下部溝１４、位置決め上部溝１５、係合リブ２２８及びロックバネ２２３を有することから、上部摺動部材２２を簡単に棒体１１に位置決めることができ、且つ、本発明の構造は、従来の台湾特許Ｎｏ．１０２１１２３３０よりもシンプルである。
２．位置決め上部溝１５に保持段１５２を有するため、折り畳み椅子を折り畳む時、回動部２２２がスライド部材２２１に対して回転することはないので、安全性が高い。
【００３４】
また、他の実施例においては、支持脚１２を省略し、結合部材２１を棒体１１に固定してもよい。尚、このような折り畳み椅子であれば、公共交通機関において使用し易い。
【符号の説明】
【００３５】
１      支持ユニット
１１    棒体
１２    支持脚
１２１  上段脚部
１２２  下段脚部
１２３  駆動リンク下段脚部
１２４  下部摺動部材
１３    ガイド溝
１４    位置決め下部溝
１５    位置決め上部溝
１５１  摺動段
１５２  保持段
１６    取っ手
１７    下制限部
１８    下制限部
２      折り畳みユニット
２１    結合部材
２１１  連結ロッド
２２    上部摺動部材
２２１  スライド部材
２２２  回動部
２２３  ロックバネ
２２４  掛け部
２２５  移動溝
２２６  組立溝
２２７  キャップ
２２８  係合リブ
２３    折り畳み棒
２４    連結棒
２５    ジョイント
２６    第一バネ
２７    第二バネ
３      着座ユニット
３１    メインプレート
３１１  接近端
３１２  離れ端
３１３  側縁
３２    サブプレート
３３    ガイドレール
３３１  離れ端
３３２  接近端
【図１】
0005926824.tif 000002
【図２】
0005926824.tif 000003
【図３】
0005926824.tif 000004
【図４】
0005926824.tif 000005
【図５】
0005926824.tif 000006
【図６】
0005926824.tif 000007
【図７】
0005926824.tif 000008
【図８】
0005926824.tif 000009
【図９】
0005926824.tif 000010
【図１０】
0005926824.tif 000011
【図１１】
0005926824.tif 000012
【図１２】
0005926824.tif 000013